【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】  データを入力する入力手段と、
前記入力手段によって入力可能な複数のレイアウト定義データについて、前記レイアウト定義データ毎に定義されているレイアウトを表す画像と、前記レイアウト定義データ毎の識別情報と、前記レイアウト定義データ毎に定義されている印刷用紙サイズを表す用紙情報とを、前記レイアウト定義データ毎に集めて配列して印刷するレイアウト一覧印刷手段と、
前記識別情報を用いて前記レイアウト定義データを少なくとも１つ選択するための第一選択手段と、
前記入力手段によって入力可能な画像データを少なくとも１つ選択するための第二選択手段と、
選択された前記画像データを、選択された前記レイアウト定義データに基づいて印刷する印刷手段と、
を備えることを特徴とする印刷装置。
【請求項２】  データを入力する入力手段と、
前記入力手段によって入力可能な複数のレイアウト定義データについて、前記レイアウト定義データ毎に定義されているレイアウトを表す画像と、前記レイアウト定義データ毎の識別情報とを、前記レイアウト定義データ毎に集めて配列して印刷するレイアウト一覧印刷手段と、
前記識別情報を用いて前記レイアウト定義データを少なくとも１つ選択するための第一選択手段であって、印刷用紙サイズを選択するための用紙選択手段と、選択された印刷用紙サイズを定義している前記レイアウト定義データの識別情報のメニューを表示するレイアウト選択手段とを有する第一選択手段と、
前記入力手段によって入力可能な画像データを少なくとも１つ選択するための第二選択手段と、
選択された前記画像データを、選択された前記レイアウト定義データに基づいて印刷する印刷手段と、
を備えることを特徴とする印刷装置。
【請求項３】  前記レイアウト一覧印刷手段は、前記レイアウト定義データ毎に定義されているレイアウトを表す画像と、前記レイアウト定義データ毎の識別情報とを、前記レイアウト定義データに定義された印刷用紙サイズ毎に集めて配列することを特徴とする請求項２に記載の印刷装置。
【請求項４】  前記レイアウト一覧印刷手段は、前記レイアウト定義データに予め関連付けられている画像データに基づいて当該レイアウト定義データに定義されているレイアウトを表す画像を印刷することを特徴とする請求項１、２又は３に記載の印刷装置。
【請求項５】  前記レイアウト一覧印刷手段は、前記レイアウト定義データに定義されているレイアウトに基づいて当該レイアウトを表す画像データを作成し、作成した画像データに基づいて当該レイアウトを表す画像を印刷することを特徴とする請求項１、２又は３に記載の印刷装置。
【手続補正２】
【補正対象書類名】明細書
【補正対象項目名】０００８
【補正方法】変更
【補正の内容】
【０００８】
本発明は、このような問題に鑑みて創作されたものであって、製造コストを増大させることなしに、記録媒体に格納されたレイアウト定義データに基づいて印刷するための設定操作を容易にする印刷装置を提供することを目的とする。
【手続補正３】
【補正対象書類名】明細書
【補正対象項目名】０００９
【補正方法】変更
【補正の内容】
【０００９】
【課題を解決するための手段】
請求項１に係る印刷装置は、データを入力する入力手段と、前記入力手段によって入力可能な複数のレイアウト定義データについて、前記レイアウト定義データ毎に定義されているレイアウトを表す画像と、前記レイアウト定義データ毎の識別情報と、前記レイアウト定義データ毎に定義されている印刷用紙サイズを表す用紙情報とを、前記レイアウト定義データ毎に集めて配列して印刷するレイアウト一覧印刷手段と、前記識別情報を用いて前記レイアウト定義データを少なくとも１つ選択するための第一選択手段と、前記入力手段によって入力可能な画像データを少なくとも１つ選択するための第二選択手段と、選択された前記画像データを、選択された前記レイアウト定義データに基づいて印刷する印刷手段と、を備えることを特徴とする。
【手続補正４】
【補正対象書類名】明細書
【補正対象項目名】００１０
【補正方法】変更
【補正の内容】
【００１０】
請求項１に係る印刷装置によると、記録媒体に格納されたレイアウト定義データについて、レイアウト定義データ毎に定義されているレイアウトを表す画像と、印刷用紙サイズを表す用紙情報とを印刷できるため、記録媒体に格納されたレイアウト定義データに定義されている内容を印刷結果から知ることができる。すなわち、記録媒体に格納されたレイアウト定義データに定義されている内容を、表示することなしに画像を介して知ることができる。また、この印刷装置によると、記録媒体に格納されたレイアウト定義データについて、前記レイアウト定義データ毎の識別情報を印刷でき、前記識別情報を用いて前記レイアウト定義データを少なくとも１つ選択できるため、記録媒体に格納されたレイアウト定義データの内容を知った後に、所望のレイアウト定義データを選択することができる。したがって、請求項１に係る印刷装置は、製造コストを増大させることなしに、記録媒体に格納されたレイアウト定義データに基づいて印刷するための設定操作を容易にすることができる。
【手続補正５】
【補正対象書類名】明細書
【補正対象項目名】００１１
【補正方法】変更
【補正の内容】
【００１１】
請求項２に係る印刷装置は、データを入力する入力手段と、前記入力手段によって入力可能な複数のレイアウト定義データについて、前記レイアウト定義データ毎に定義されているレイアウトを表す画像と、前記レイアウト定義データ毎の識別情報とを、前記レイアウト定義データ毎に集めて配列して印刷するレイアウト一覧印刷手段と、前記識別情報を用いて前記レイアウト定義データを少なくとも１つ選択するための第一選択手段であって、印刷用紙サイズを選択するための用紙選択手段と、選択された印刷用紙サイズを定義している前記レイアウト定義データの識別情報のメニューを表示するレイアウト選択手段とを有する第一選択手段と、前記入力手段によって入力可能な画像データを少なくとも１つ選択するための第二選択手段と、選択された前記画像データを、選択された前記レイアウト定義データに基づいて印刷する印刷手段と、を備えることを特徴とする。
【手続補正６】
【補正対象書類名】明細書
【補正対象項目名】００１２
【補正方法】変更
【補正の内容】
【００１２】
請求項２に係る印刷装置によると、記録媒体に格納されたレイアウト定義データについて、レイアウト定義データ毎に定義されているレイアウトを表す画像を印刷できるため、記録媒体に格納されたレイアウト定義データに定義されている内容を印刷結果から知ることができる。すなわち、レイアウト定義データに定義されている内容を表示することなしに画像を介して知ることができる。また、この印刷装置によると、記録媒体に格納されたレイアウト定義データについて、前記レイアウト定義データ毎の識別情報を印刷でき、前記識別情報を用いて前記レイアウト定義データを少なくとも１つ選択できるため、記録媒体に格納されたレイアウト定義データの内容を知った後に、所望のレイアウト定義データを選択することができる。したがって、請求項２に係る印刷装置は、製造コストを増大させることなしに、記録媒体に格納されたレイアウト定義データに基づいて印刷するための設定操作を容易にすることができる。
【手続補正７】
【補正対象書類名】明細書
【補正対象項目名】００１３
【補正方法】変更
【補正の内容】
【００１３】
さらに請求項２に係る印刷装置によると、印刷用紙サイズが選択された場合、選択された印刷用紙サイズを定義しているレイアウト定義データの識別情報のメニューを表示することができる。一般に何らかの印刷物が作成される場合、その目的に応じた印刷物の大きさ、すなわち印刷用紙サイズが決定され、続いて印刷用紙サイズに応じたレイアウトが決定される。具体的は例えば、年賀葉書を作成しようとして印刷用紙サイズが葉書に決まり、続いて葉書サイズに応じたデザインが決まる。したがって、この印刷装置によると、印刷物を作成するときのメンタルモデルに適合したインタフェースが実現されているため、記録媒体に格納されたレイアウト定義データに基づいて印刷するための設定操作をさらに容易にすることができる。また、印刷用紙サイズを選択すると、そのサイズを定義していないレイアウト定義データを除外した識別情報のメニューが表示されるため、印刷目的に応じたレイアウト定義データを選択することが容易になる。
【手続補正８】
【補正対象書類名】明細書
【補正対象項目名】００１６
【補正方法】変更
【補正の内容】
【００１６】
請求項５に係る印刷装置のレイアウト一覧印刷手段は、前記レイアウト定義データに定義されているレイアウトに基づいて当該レイアウトを表す画像データを作成し、作成した画像データに基づいて当該レイアウトを表す画像を印刷することを特徴とする。この印刷装置によると、レイアウトを表す画像データが予め記録媒体に格納されていない場合であっても、レイアウト定義データで定義されているレイアウトを表す画像を印刷することができる。